(57)【要約】【課題】第三者に、自身が無断で撮影されているという不快感を与えることを防止することができるとともに、撮影時に簡易的に照明効果を加えることができる携帯電子機器を提供すること。【解決手段】携帯電話装置１は、第２撮影窓３１２に対応して表示部側筐体部３の内部に配置される第２カメラ部３１１と、第２撮影窓３１２に対向して表示部側筐体部３に配置される第２電子ペーパー部３１３と、第２電子ペーパー部３１３の動作を制御する制御部７０と、を備える。また、制御部７０は、第２カメラ部３１１が駆動している場合の第２電子ペーパー部３１３での透過率が、第２カメラ部３１１が駆動していない場合の第２電子ペーパー部３１３での透過率よりも高くなるように第２電子ペーパー部３１３を制御する。【選択図】図５
2012074910.tif 000002
【特許請求の範囲】
【請求項１】
撮影窓を有する筐体と、
前記撮影窓に対応して前記筐体の内部に配置されるカメラ部と、
前記撮影窓に対向して前記筐体に配置される電子ペーパー部と、
前記電子ペーパー部の動作を制御する制御部と、を備え、
前記制御部は、前記カメラ部が駆動している場合の前記電子ペーパー部での透過率が、前記カメラ部が駆動していない場合の前記電子ペーパー部での透過率よりも高くなるように前記電子ペーパー部を制御する携帯電子機器。
【請求項２】
前記筐体に発光部と、
前記発光部に対向して前記筐体に配置される発光部用電子ペーパー部と、を更に備え、
前記制御部は、前記カメラ部が駆動している場合の前記発光部用電子ペーパー部での透過率が、前記カメラ部が駆動していない場合の前記発光部用電子ペーパー部での透過率よりも高くなるように前記発光部用電子ペーパー部を制御する請求項１に記載の携帯電子機器。
【請求項３】
前記電子ペーパー部は、コレステリック液晶によって構成されている請求項１又は２に記載の携帯電子機器。
【請求項４】
前記制御部は、前記カメラ部が駆動していない場合に前記電子ペーパー部を前記筐体と同一の色に変化させる請求項１から３のいずれか１項に記載の携帯電子機器。
【請求項５】
撮影窓を有する筐体と、
前記撮影窓に対応して前記筐体の内部に配置されるカメラ部と、
前記撮影窓に対向し、前記カメラ部及び前記筐体の一部を覆って前記筐体に配置される電子ペーパー部と、
前記電子ペーパー部の動作を制御する制御部と、を備え、
前記制御部は、前記カメラ部が駆動している場合の前記電子ペーパー部での透過率が、前記カメラ部が駆動していない場合の前記電子ペーパー部での透過率よりも高くなるように前記電子ペーパー部を制御する携帯電子機器。
【請求項６】
所定の画像を記憶する記憶部を更に備え、
前記制御部は、前記カメラ部が駆動している場合に、前記電子ペーパー部の前記カメラ部を覆わない部分に対して、前記記憶部に記憶されている前記所定の画像を表示させる請求項５に記載の携帯電子機器。
【請求項７】
前記制御部は、前記カメラ部により撮像された画像を解析し、解析した結果に基づいて前記電子ペーパー部の前記カメラ部を覆わない部分に対して、前記記憶部に記憶されている前記所定の画像を表示させる請求項６に記載の携帯電子機器。
【請求項８】
前記所定の画像は、前記カメラ部による撮像する位置の変更を示す画像である請求項６又は７に記載の携帯電子機器。
【発明の詳細な説明】
【技術分野】
【０００１】
本発明は、電子ペーパー部を備える携帯電子機器に関する。
【背景技術】
【０００２】
近年、カメラを備えた携帯電話等の携帯電子機器が広く普及しつつある。このような携帯電子機器において、ユーザは、カメラを駆動させることにより、手軽に撮影を行うことができる。
【０００３】
また、このような携帯電子機器では、カメラ以外に、複数のアプリケーションを実行する機能を備えている場合が多い。このように携帯電子機器がカメラ以外に複数のアプリケーションを実行する機能を備えている場合、この携帯電子機器のユーザがカメラを駆動させているか、他のアプリケーションを実行させているかについて、第三者が判断することは困難である。このため、この携帯電子機器のカメラが第三者に向いている場合、携帯電子機器のユーザがカメラを駆動させていない場合であっても、この第三者に、自身が無断で撮影されているという不快感を与えてしまうおそれがある。
【０００４】
このような問題に対応するために、例えば、スライド可能な遮蔽部材を筐体に設け、この遮蔽部材を手動でスライドさせることにより、カメラを遮蔽する方法（例えば、特許文献１参照）や、携帯端末にＬＥＤを設け、カメラが駆動している場合に、ＬＥＤを発光させたり点滅させたりして、撮影していることを第三者に周知させる方法が提案されている。
【先行技術文献】
【特許文献】
【０００５】
【特許文献１】特開２００１−３０９００３号公報
【発明の概要】
【発明が解決しようとする課題】
【０００６】
しかしながら、遮蔽部材を手動でスライドさせてカメラを遮蔽する方法は、カメラを駆動させることに応じて、遮蔽部材を手動でスライドさせるので、携帯端末の意匠が悪化又は制約されるとともに、ユーザの操作が煩雑になってしまう。また、カメラが駆動している場合に、ＬＥＤを発光させる方法は、撮影時にＬＥＤを発光させないように制御する等、制御が複雑になってしまい、携帯端末のコスト増につながってしまう。また、ＬＥＤを発光させる方法は、ＬＥＤを発光させるため、電力を消費してしまう。
【０００７】
また、遮蔽部材を手動でスライドさせてカメラを遮蔽する方法では、例えば、カメラで撮影を行う際に、写真に対して色補正等の照明効果を加えたい場合、ソフト的に画像の色補正等の制御を行う必要があり、制御が煩雑になってしまう。
【０００８】
本発明は、第三者に、自身が無断で撮影されているという不快感を与えることを防止することができる携帯電子機器を提供することを目的とする。
また、本発明は、撮影時に簡易的に照明効果を加えることができる携帯電子機器を提供することを目的とする。
【課題を解決するための手段】
【０００９】
本発明の携帯電子機器は、撮影窓を有する筐体と、前記撮影窓に対応して前記筐体の内部に配置されるカメラ部と、前記撮影窓に対向して前記筐体に配置される電子ペーパー部と、前記電子ペーパー部の動作を制御する制御部と、を備え、前記制御部は、前記カメラ部が駆動している場合の前記電子ペーパー部での透過率が、前記カメラ部が駆動していない場合の前記電子ペーパー部での透過率よりも高くなるように前記電子ペーパー部を制御する。
【００１０】
また、本発明の携帯電子機器は、前記筐体に発光部と、前記発光部に対向して前記筐体に配置される発光部用電子ペーパー部と、を更に備え、前記制御部は、前記カメラ部が駆動している場合の前記発光部用電子ペーパー部での透過率が、前記カメラ部が駆動していない場合の前記発光部用電子ペーパー部での透過率よりも高くなるように前記発光部用電子ペーパー部を制御することが好ましい。
【００１１】
また、前記電子ペーパー部は、コレステリック液晶によって構成されていることが好ましい。
【００１２】
また、前記制御部は、前記カメラ部が駆動していない場合に前記電子ペーパー部を前記筐体と同一の色に変化させることが好ましい。
【００１３】
また、本発明の携帯電子機器は、撮影窓を有する筐体と、前記撮影窓に対応して前記筐体の内部に配置されるカメラ部と、前記撮影窓に対向し、前記カメラ部及び前記筐体の一部を覆って前記筐体に配置される電子ペーパー部と、前記電子ペーパー部の動作を制御する制御部と、を備え、前記制御部は、前記カメラ部が駆動している場合の前記電子ペーパー部での透過率が、前記カメラ部が駆動していない場合の前記電子ペーパー部での透過率よりも高くなるように前記電子ペーパー部を制御する。
【００１４】
また、本発明の携帯電子機器は、所定の画像を記憶する記憶部を更に備え、前記制御部は、前記カメラ部が駆動している場合に、前記電子ペーパーの前記カメラ部を覆わない部分に対して、前記記憶部に記憶されている前記所定の画像を表示させることが好ましい。
【００１５】
また、前記制御部は、前記カメラ部により撮像された画像を解析し、解析した結果に基づいて前記電子ペーパーの前記カメラ部を覆わない部分に対して、前記記憶部に記憶されている前記所定の画像を表示させることが好ましい。
【００１６】
また、前記所定の画像は、前記カメラ部による撮像する位置の変更を示す画像であることが好ましい。
【発明の効果】
【００１７】
本発明によれば、第三者に、自身が無断で撮影されているという不快感を与えることを防止することができる。また、本発明によれば、撮影時に簡易的に照明効果を加えることができる。
【図面の簡単な説明】
【００１８】
【図１】本実施形態に係る携帯電話装置の概観斜視図である。
【図２】本実施形態に係る携帯電話装置を折り畳んだ状態の斜視図である。
【図３】本実施形態に係る携帯電話装置のカメラユニットの断面図である。
【図４】本実施形態に係る電子ペーパーの構成を示す図である。
【図５】本実施形態に係る携帯電話装置の機能を示す機能ブロック図である。
【図６】本実施形態に係る携帯電話装置の制御部における第１電子ペーパー部及び第２電子ペーパー部を制御する処理の流れを示すフローチャートである。
【図７】変形例に係る携帯電話装置の概観斜視図である。
【図８】変形例に係る携帯電話装置を折り畳んだ状態の斜視図（その１）である。
【図９】変形例に係る携帯電話装置の制御部における第１電子ペーパー部を制御する処理の流れを示すフローチャートである。
【図１０】変形例に係る携帯電話装置を折り畳んだ状態の斜視図（その２）である。
【発明を実施するための形態】
【００１９】
以下、本発明の実施の形態について説明する。図１は、本発明に係る携帯電子機器の一例である携帯電話装置１の外観斜視図である。なお、図１は、いわゆる折り畳み型の携帯電話装置の形態を示しているが、本発明に係る携帯電話装置の形態としては特にこれに限られない。例えば、両筐体を重ね合わせた状態から一方の筐体を一方向にスライドさせるようにしたスライド式や、重ね合わせ方向に沿う軸線を中心に一方の筐体を回転させるようにした回転式（ターンタイプ）や、操作部と表示部とが一つの筐体に配置され、連結部を有さない形式（ストレートタイプ、フリップタイプ）でも良い。
【００２０】
［機能構成］
携帯電話装置１は、操作部側筐体部２と、表示部側筐体部３と、を備えて構成される。操作部側筐体部２は、表面部１０に、操作部１１と、携帯電話装置１の使用者が通話時に発した音声が入力されるマイク１２と、を備えて構成される。操作部１１は、各種設定や電話帳機能やメール機能やカメラ機能等の各種機能を作動させるための機能設定操作キー１３と、電話番号の数字やメール等の文字等を入力するための入力操作キー１４と、各種操作における決定やスクロール等を行う決定操作キー１５と、から構成されている。
【００２１】
また、表示部側筐体部３は、表面部２０に、各種情報を表示するための表示部２１（例えば、ＬＣＤ（Ｌｉｑｕｉｄ  Ｃｒｙｓｔａｌ  Ｄｉｓｐｌａｙ））と、通話の相手側の音声を出力するスピーカ２２と、被写体を撮像する第１カメラユニット２３と、を備えて構成されている。第１カメラユニット２３の詳細については後述する。
【００２２】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転させることにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２３】
図２は、携帯電話装置１を折り畳んだ状態の斜視図である。表示部側筐体部３は、外平面部に、時計やメールの着信等が表示されるサブ表示部３０と、被写体を撮像する第２カメラユニット３１と、第２カメラユニット３１による撮像時に発光する発光部３２と、着信時に発光して着信を報知するＬＥＤ発光部３５が備えられている。
【００２４】
図３は、第１カメラユニット２３及び第２カメラユニット３１の断面図である。
第１カメラユニット２３は、表示部側筐体部３の内部の厚さ方向の略中央に配置されている基板４０に固定されており、第１カメラ部２３１と、第１撮影窓２３２と、第１電子ペーパー部２３３と、を備える。第１カメラ部２３１は、被写体を撮影（撮像）する機能を有しており、第１撮影窓２３２に対応して表示部側筐体部３の内部に配置され、基板４０に接続されている。第１撮影窓２３２は、光を透過させつつ、第１電子ペーパー部２３３と第１カメラ部２３１とを保護するものであり、第１カメラ部２３１に対向し、表示部側筐体部３の内平面部に配置されている。第１電子ペーパー部２３３は、第１撮影窓２３２に対向し、第１カメラ部２３１と、第１撮影窓２３２との間に配置されており、第１カメラ部２３１を覆っている。
【００２５】
第２カメラユニット３１は、第１カメラユニット２３と同様の構成である。すなわち、第２カメラユニット３１は、基板４０に固定されており、第２カメラ部３１１と、第２撮影窓３１２と、第２電子ペーパー部３１３と、を備える。第２カメラ部３１１は、被写体を撮影（撮像）する機能を有しており、第２撮影窓３１２に対応して表示部側筐体部３の内部に配置されており、基板４０に接続されている。第２撮影窓３１２は、光を透過させつつ、第２電子ペーパー部３１３と第２カメラ部３１１とを保護するものであり、第２カメラ部３１１に対向し、表示部側筐体部３の外平面部に配置されている。第２電子ペーパー部３１３は、第２撮影窓３１２に対向し、第２カメラ部３１１と、第２撮影窓３１２との間に配置されており、第２カメラ部３１１を覆っている。
【００２６】
図４は、第１電子ペーパー部２３３の構成を示す図である。
第１電子ペーパー部２３３は、コレステリック液晶によって構成されており、多層構造を有している。この第１電子ペーパー部２３３は、最下層、すなわち第１カメラ部２３１側から順に、第１赤色液晶部２３３Ｒ、第１緑色液晶部２３３Ｇ及び第１青色液晶部２３３Ｂが設けられており、これら第１赤色液晶部２３３Ｒ、第１緑色液晶部２３３Ｇ及び第１青色液晶部２３３Ｂが制御されることにより、光の透過率が変化し、所定の色に変化する。
【００２７】
第１赤色液晶部２３３Ｒは、１枚の第１赤色液晶層２３３Ｒ１と、２枚の第１透明電極２３３Ｒ２と、２枚の第１透明フィルム２３３Ｒ３とを備えている。
この第１赤色液晶層２３３Ｒ１は、液晶分子によって構成されており、２枚の第１透明電極２３３Ｒ２により挟持されている。また、第１赤色液晶層２３３Ｒ１は、２枚の第１透明電極２３３Ｒ２に第１電圧が印加されることにより、液晶分子の向きが変更され、赤色の光が透過され、第１電圧よりも高い第２電圧が印加されることにより、液晶分子の向きが変更され、赤色の光が反射される。なお、変更された液晶分子の向きは、電圧の印加が停止されても維持される。
【００２８】
２枚の第１透明電極２３３Ｒ２は、２枚の第１透明フィルム２３３Ｒ３により挟持されている。また、第１赤色液晶層２３３Ｒ１及び２枚の第１透明電極２３３Ｒ２は、導線（図示省略）と基板４０とを介して、後述の制御部７０に接続されている。
【００２９】
第１緑色液晶部２３３Ｇは、第１赤色液晶部２３３Ｒと同様の構成であり、１枚の第１緑色液晶層２３３Ｇ１と、２枚の第１透明電極２３３Ｇ２と、２枚の第１透明フィルム２３３Ｇ３とを備えている。
この第１緑色液晶層２３３Ｇ１は、液晶分子によって構成されており、２枚の第１透明電極２３３Ｇ２により挟持されている。また、第１緑色液晶層２３３Ｇ１は、２枚の第１透明電極２３３Ｇ２に第１電圧が印加されることにより、液晶分子の向きが変更され、緑色の光が透過され、第１電圧よりも高い第２電圧が印加されることにより、液晶分子の向きが変更され、緑色の光が反射される。なお、変更された液晶分子の向きは、電圧の印加が停止されても維持される。
【００３０】
２枚の第１透明電極２３３Ｇ２は、２枚の第１透明フィルム２３３Ｇ３により挟持されている。また、第１緑色液晶層２３３Ｇ１及び２枚の第１透明電極２３３Ｇ２は、導線（図示省略）と基板４０とを介して、後述の制御部７０に接続されている。
【００３１】
第１青色液晶部２３３Ｂは、第１赤色液晶部２３３Ｒ及び第１緑色液晶部２３３Ｇと同様の構成であり、１枚の第１青色液晶層２３３Ｂ１と、２枚の第１透明電極２３３Ｂ２と、２枚の第１透明フィルム２３３Ｂ３とを備えている。
【００３２】
この第１青色液晶層２３３Ｂ１は、液晶分子によって構成されており、２枚の第１透明電極２３３Ｂ２により挟持されている。また、第１青色液晶層２３３Ｂ１は、２枚の第１透明電極２３３Ｂ２に第１電圧が印加されることにより、液晶分子の向きが変更され、青色の光が透過され、第１電圧よりも高い第２電圧が印加されることにより、液晶分子の向きが変更され、青色の光が反射される。なお、変更された液晶分子の向きは、電圧の印加が停止されても維持される。
【００３３】
２枚の第１透明電極２３３Ｂ２は、２枚の第１透明フィルム２３３Ｂ３により挟持されている。また、第１青色液晶層２３３Ｂ１及び２枚の第１透明電極２３３Ｂ２は、導線（図示省略）と基板４０とを介して、後述の制御部７０に接続されている。
【００３４】
第２電子ペーパー部３１３は、第１電子ペーパー部２３３の構成と同様である。すなわち、第２電子ペーパー部３１３は、コレステリック液晶によって構成されており、多層構造を有している。この第２電子ペーパー部３１３は、最下層、すなわち第２カメラ部３１１側から順に、第２赤色液晶部３１３Ｒ、第２緑色液晶部３１３Ｇ及び第２青色液晶部３１３Ｂが設けられている。
【００３５】
第２赤色液晶部３１３Ｒは、１枚の第２赤色液晶層３１３Ｒ１と、２枚の第２透明電極３１３Ｒ２と、２枚の第２透明フィルム３１３Ｒ３とを備えている。また、第２緑色液晶部３１３Ｇは、１枚の第２緑色液晶層３１３Ｇ１と、２枚の第２透明電極３１３Ｇ２と、２枚の第２透明フィルム３１３Ｇ３とを備えている。また、第２青色液晶部３１３Ｂは、１枚の第２青色液晶層３１３Ｂ１と、２枚の第２透明電極３１３Ｂ２と、２枚の第２透明フィルム３１３Ｂ３とを備えている。
【００３６】
これら、第２赤色液晶部３１３Ｒ、第２緑色液晶部３１３Ｇ及び第２青色液晶部３１３Ｂは、それぞれ第１赤色液晶部２３３Ｒ、第１緑色液晶部２３３Ｇ及び第１青色液晶部２３３Ｂと同様の構成であるので、説明を省略する。
【００３７】
図５は、携帯電話装置１の機能を示す機能ブロック図である。携帯電話装置１は、図５に示すように、操作部１１と、マイク１２と、メインアンテナ５０と、ＲＦ回路部５１と、表示制御部５２と、音声処理部５３と、記憶部６０と、制御部７０が操作部側筐体部２に備えられ、表示部２１と、スピーカ２２と、第１カメラユニット２３と、第２カメラユニット３１と、表示ドライバ２４と、サブ表示部３０と、が表示部側筐体部３に備えられている。
【００３８】
メインアンテナ５０は、デュアルバンド対応構成であり、第１の使用周波数帯（例えば、８００ＭＨｚ）で基地局等と通信を行い、第２の使用周波数帯（例えば、１．５ＧＨｚ）でＧＰＳ衛星と通信を行う。
【００３９】
ＲＦ回路部５１は、メインアンテナ５０によって受信した信号を復調処理し、処理後の信号を制御部７０に供給する。また、ＲＦ回路部５１は、制御部７０から供給された信号を変調処理し、メインアンテナ５０を介して外部装置（基地局）に送信する。また、その一方で、ＲＦ回路部５１は、メインアンテナ５０によって受信する信号の強度を制御部７０に通知する。
【００４０】
表示制御部５２は、制御部７０の制御にしたがって、所定の画像処理を行い、処理後の画像データを表示ドライバ２４に出力する。表示ドライバ２４は、フレームメモリを備えており、表示制御部５２から供給された画像データをフレームメモリに蓄える。そして、表示ドライバ２４は、フレームメモリに蓄えられた画像データを所定のタイミングで表示部２１又はサブ表示部３０に出力する。
【００４１】
音声処理部５３は、制御部７０の制御にしたがって、ＲＦ回路部５１から供給された信号に対して所定の音声処理を行い、処理後の信号をスピーカ２２に出力する。スピーカ２２は、音声処理部５３から供給された信号を外部に出力する。
また、音声処理部５３は、制御部７０の制御にしたがって、マイク１２から入力された信号を処理し、処理後の信号をＲＦ回路部５１に出力する。ＲＦ回路部５１は、音声処理部５３から供給された信号に所定の処理を行い、処理後の信号をメインアンテナ５０に出力する。
【００４２】
記憶部６０は、例えば、ワーキングメモリを含み、制御部７０による演算処理に利用される。また、記憶部６０は、複数のアプリケーションを記憶している。また、記憶部６０は、第１電子ペーパー部２３３の透過率を変化させて所定の色に変化させるための情報として、第１赤色液晶部２３３Ｒ、第１緑色液晶部２３３Ｇ及び第１青色液晶部２３３Ｂに対して印加される電圧の情報としての第１電子ペーパー制御情報を記憶する。また、記憶部６０は、第２電子ペーパー部３１３の透過率を変化させて所定の色に変化させるための情報として、第２赤色液晶部３１３Ｒ、第２緑色液晶部３１３Ｇ及び第２青色液晶部３１３Ｂに対して印加される電圧の情報としての第２電子ペーパー制御情報を記憶する。
【００４３】
制御部７０は、携帯電話装置１の全体を制御しており、中央処理装置（ＣＰＵ）等を用いて構成される。
【００４４】
この制御部７０は、第１カメラ部２３１が駆動している場合の第１電子ペーパー部２３３での透過率が、第１カメラ部２３１が駆動していない場合の第１電子ペーパー部２３３での透過率よりも高くなるように第１電子ペーパー部２３３を制御する。
【００４５】
具体的には、制御部７０は、第１カメラ部２３１が駆動を開始する場合、すなわち、操作部１１により第１カメラ部２３１の駆動開始操作を受け付けた場合に、記憶部６０に記憶されている第１電子ペーパー制御情報に基づいて、第１電子ペーパー部２３３に対して電圧を印加して光を透過させる。また、制御部７０は、第１カメラ部２３１が駆動を終了する場合に、記憶部６０に記憶されている第１電子ペーパー制御情報に基づいて、第１電子ペーパー部２３３に対して電圧を印加して所定の色に変化させる。
【００４６】
ここで、所定の色は、例えば、表示部側筐体部３の色と同一の色である。なお、本実施形態では、これに限らず、表示部側筐体部３の色と類似する色等、表示部側筐体部３に対して相対的に目立たない色であったり、カメラであることを意識させない色であったりしてもよい。
【００４７】
また、この制御部７０は、第２カメラ部３１１が駆動している場合の第２電子ペーパー部３１３での透過率が、第２カメラ部３１１が駆動していない場合の第２電子ペーパー部３１３での透過率より高くなるように第２電子ペーパー部３１３を制御する。
【００４８】
具体的には、制御部７０は、第２カメラ部３１１が駆動を開始する場合、すなわち、操作部１１により第２カメラ部３１１の駆動開始操作を受け付けた場合に、記憶部６０に記憶されている第２電子ペーパー制御情報に基づいて、第２電子ペーパー部３１３に対して電圧を印加して光を透過させる。また、制御部７０は、第２カメラ部３１１が駆動を終了する場合に、記憶部６０に記憶されている第２電子ペーパー制御情報に基づいて、第２電子ペーパー部３１３に対して電圧を印加して所定の色に変化させる。
【００４９】
なお、本実施形態では、表示部側筐体部３に、発光部３２に対向して、第１電子ペーパー部２３３と同様の電子ペーパー部を覆うように配置させるとともに、この電子ペーパー部を透過する光を変化させるための情報として、この電子ペーパー部に印加される電圧の情報としての発光部用電子ペーパー制御情報を記憶部６０に記憶するようにしてもよい。そして、制御部７０は、発光部３２が発光する場合、すなわち、第２カメラ部３１１が駆動している場合に、電子ペーパー部での透過率が、第２カメラ部３１１が駆動していない場合の当該電子ペーパー部での透過率よりも高くなるように当該電子ペーパー部を制御するようにしてもよい。また、この場合、携帯電話装置１のユーザが、記憶部６０に記憶されている発光部用電子ペーパー制御情報を変更可能とし、任意の色の光を透過できるようにしてもよい。
【００５０】
［フローチャート］
続いて、携帯電話装置１における、第１電子ペーパー部２３３及び第２電子ペーパー部３１３を制御する処理について、図６に示すフローチャートを参照して説明する。図６は、携帯電話装置１の制御部７０における第１電子ペーパー部２３３及び第２電子ペーパー部３１３を制御する処理の流れを示すフローチャートである。なお、本フローチャートを説明するにあたり、第１カメラ部２３１及び第２カメラ部３１１が駆動していない状態であるものとし、第１電子ペーパー部２３３及び第２電子ペーパー部３１３が所定の色であるものとする。
【００５１】
ステップＳ１では、制御部７０は、操作部１１により第１カメラ部２３１の駆動開始操作が受け付けられたか否かを判定する。制御部７０は、この判定がＹＥＳの場合、処理をステップＳ２に移し、この判定がＮＯの場合、処理をステップＳ５に移す。
【００５２】
ステップＳ２では、制御部７０は、第１電子ペーパー部２３３に第１電圧を印加し、第１電子ペーパー部２３３に入射する光を透過させる。
【００５３】
ステップＳ３では、制御部７０は、操作部１１により第１カメラ部２３１の駆動終了操作が受け付けられたか否かを判定する。制御部７０は、この判定がＹＥＳの場合、処理をステップＳ４に移し、この判定がＮＯの場合、ステップＳ３の処理を再実行する。
【００５４】
ステップＳ４では、制御部７０は、第１電子ペーパー部２３３に第１電圧より高い電圧である第２電圧を印加し、第１電子ペーパー部２３３に入射する所定の色の光を反射させ、第１電子ペーパー部２３３を視覚的に所定の色に変化させる。
【００５５】
ステップＳ５では、制御部７０は、操作部１１により第２カメラ部３１１の駆動開始操作が受け付けられたか否かを判定する。制御部７０は、この判定がＹＥＳの場合、処理をステップＳ６に移し、この判定がＮＯの場合、処理をステップＳ９に移す。
【００５６】
ステップＳ６では、制御部７０は、第２電子ペーパー部３１３に第１電圧を印加し、第２電子ペーパー部３１３に入射する光を透過させる。
【００５７】
ステップＳ７では、制御部７０は、操作部１１により第２カメラ部３１１の駆動終了操作が受け付けられたか否かを判定する。制御部７０は、この判定がＹＥＳの場合、処理をステップＳ８に移し、この判定がＮＯの場合、ステップＳ７の処理を再実行する。
【００５８】
ステップＳ８では、制御部７０は、第２電子ペーパー部３１３に第２電圧を印加し、第２電子ペーパー部３１３に入射する所定の色の光を反射させ、第２電子ペーパー部３１３を視覚的に所定の色に変化させる。
【００５９】
ステップＳ９では、制御部７０は、例えば携帯電話装置１の電源を切る操作等の終了操作を受け付けたか否かを判定する。制御部７０は、この判定がＹＥＳの場合、本フローチャートに係る処理を終了し、この判定がＮＯの場合、処理をステップＳ１に移す。
【００６０】
以上、本実施形態によれば、携帯電話装置１は、制御部７０により、第２カメラ部３１１が駆動している場合の第２電子ペーパー部３１３での透過率が、第２カメラ部３１１が駆動していない場合の第２電子ペーパー部３１３での透過率よりも高くなるように第２電子ペーパー部３１３を制御する。よって、携帯電話装置１は、第２カメラ部３１１が駆動していない場合、第２電子ペーパー部３１３の透過率を、駆動している場合の透過率よりも低くすることで、第２カメラ部３１１を視認しにくくすることができるので、第三者に、自身が無断で撮影されているという不快感を与えることを防止することができる。
【００６１】
また、携帯電話装置１は、制御部７０は、第２カメラ部３１１が駆動している場合の発光部用電子ペーパー部での透過率が、第２カメラ部３１１が駆動していない場合の発光部用電子ペーパー部での透過率よりも高くなるように、当該発光部用電子ペーパー部を制御する。よって、携帯電話装置１は、第２カメラ部による撮影時に、発光部用電子ペーパー部を制御することによって、撮影される写真に対して簡易的に照明効果を加えることができる。
【００６２】
また、第１電子ペーパー部２３３及び第２電子ペーパー部３１３は、コレステリック液晶によって構成される。コレステリック液晶は、印加された電圧により変更される液晶分子の向きを、電圧の印加を停止した後も維持するという特性を有する。よって、携帯電話装置１は、第１カメラ部２３１及び第２カメラ部３１１を視認しにくくしたり、視認しやすくしたりする切り換え時のみ第１電子ペーパー部２３３及び第２電子ペーパー部３１３に電圧を印加することで、第１カメラ部２３１及び第２カメラ部３１１が視認しにくい状態及び視認可能な状態を維持することができるので、電力消費量を抑制することができる。
【００６３】
また、制御部７０は、第１カメラ部２３１が駆動していない場合に第１電子ペーパー部２３３を表示部側筐体部３と同一の色に変化させるので、第１カメラ部２３１の不使用時に、第１カメラ部２３１をより目立たなくすることができる。
【００６４】
また、制御部７０は、第２カメラ部３１１が駆動していない場合に第２電子ペーパー部３１３を表示部側筐体部３と同一の色に変化させるので、第２カメラ部３１１の不使用時に、第２カメラ部３１１をより目立たなくすることができる。
【００６５】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００６６】
［変形例］
本実施形態では、第１カメラユニット２３及び第２カメラユニット３１が設けられることとしたが、これに限らず、第１カメラユニット２３及び第２カメラユニット３１のいずれか一方のみが設けられることとしてもよい。また、本実施形態では、第１カメラユニット２３及び第２カメラユニット３１が表示部側筐体部３に設けられることとしたが、これに限らず、操作部側筐体部２に設けられることとしてもよい。
【００６７】
また、本実施形態では、第１電子ペーパー部２３３を、第１カメラ部２３１を覆うように配置することとしたが、これに限らない。例えば、図７に示すように、第１カメラ部２３１を覆うだけではなく、第１カメラ部２３１の周辺部も覆うように第１電子ペーパー部２３３Ａを配置することとしてもよい。そして、記憶部６０に、第１カメラ部２３１を覆わない部分に対して表示される、撮像する位置の変更を示す画像等の所定の画像を記憶させておき、制御部７０は、第１カメラ部２３１が駆動している場合の第１電子ペーパー部２３３Ａでの透過率が、第１カメラ部２３１が駆動していない場合の第１電子ペーパー部２３３Ａでの透過率よりも高くなるように制御するようにしてもよい。
【００６８】
更に、制御部７０は、第１電子ペーパー部２３３Ａの第１カメラ部２３１を覆う部分のみ色を透過させて、第１カメラ部２３１を覆わない部分に対して記憶部６０に記憶されている所定の画像を表示させるようにしてもよい。また、この場合、制御部７０は、第１カメラ部２３１を覆わない部分に対して、記憶部６０に記憶されているアプリケーションに基づいて、撮影時に使用されるセルフタイマー等の画像を表示させるようにしてもよい。
【００６９】
また、図８に示すように、表示部側筐体部３に第２カメラ部３１１を覆うだけではなく、第２カメラ部３１１の周辺部も覆うように第２電子ペーパー部３０Ａを配置することとしてもよい。この場合、第２電子ペーパー部３０Ａは、時計やメールの着信等が表示されるサブ表示部の役割も果たすこととする。そして、制御部７０は、第２カメラ部３１１が駆動を開始する場合に、第２電子ペーパー部３０Ａの第２カメラ部３１１を覆う部分のみ色を透過させて、第２カメラ部３１１を覆わない部分に対して記憶部６０に記憶されている所定の画像を表示させるようにしてもよい。また、この場合、制御部７０は、第２カメラ部３１１を覆わない部分に対して、記憶部６０に記憶されているアプリケーションに基づいて、撮影時に使用されるセルフタイマー等の画像を表示させるようにしてもよい。
【００７０】
また、携帯電話装置１のユーザが自己の写真を撮影する場合に、制御部７０は、ユーザの自画像が画角に収まるように、第１電子ペーパー部２３３Ａの第１カメラ部２３１を覆っていない部分又は第２電子ペーパー部３０Ａの第２カメラ部３１１を覆っていない部分に対して、写真撮影位置を修正させるための矢印を表示させたり、上半身を示す輪郭や顔の輪郭等の擬似的な輪郭を表示させたりしてもよい。
このようにすることで、携帯電話装置１は、第１電子ペーパー部２３３Ａ及び第２電子ペーパー部３０Ａに、表示部の代わりに多様な情報を表示させることができ、更に、携帯電話装置１のユーザが自己の写真を撮影する場合に、撮影を支援することができる。
【００７１】
また、携帯電話装置１のユーザが自己の写真を撮影する場合に、第１カメラ部２３１又は第２カメラ部３１１により撮像された画像を解析し、解析した結果に基づいて第１電子ペーパー部２３３Ａ又は第２電子ペーパー部３０Ａの第１カメラ部２３１又は第２カメラ部３１１を覆わない部分に対して、記憶部６０に記憶されている所定の画像を表示させることとしてもよい。例えば、自己の表情に対応する色を予め規定しておき、撮影時に、制御部７０により、第１カメラ部２３１により撮像される自己の写真を解析させて自己の表情を特定し、第１電子ペーパー部２３３Ａの第１カメラ部２３１を覆っていない部分を、特定された表情に対応する色に変化させてもよい。
なお、この場合、複数の表情それぞれに対応する色の設定情報は、記憶部６０に記憶されていることとし、携帯電話装置１のユーザが任意に設定可能であることとする。
【００７２】
上述の例について、図９に示されるフローチャートを用いて説明を行う。まず、制御部７０は、携帯電話装置１のユーザから、自己の表情を受け付け（ステップＳ１１）、続いて、第１電子ペーパー部２３３Ａの第１カメラ部２３１を覆っていない部分を、表情に対応する色に変化させる（ステップＳ１２）。続いて、制御部７０は、第１カメラ部２３１により撮影されるユーザの顔を分析して表情を解析し、受け付けられた表情と一致するか否かを判定する（ステップＳ１３）。続いて、制御部７０は、受け付けられた表情と一致する場合に、第１カメラ部２３１により撮影されるユーザの画像を記憶部６０に自動的に保存し（ステップＳ１４）、受け付けられた表情と一致する場合に、ステップＳ１２に戻り、第１電子ペーパー部２３３Ａの第１カメラ部２３１を覆っていない部分を、表情に対応する色に変化させる。
このようにすることで、携帯電話装置１は、第１電子ペーパー部２３３に、第１カメラ部２３１により撮影された画像に対応させて、多様な情報を表示させることができる。
【００７３】
また、制御部７０は、受け付けられた表情と一致する場合に、第１カメラ部２３１により撮影されるユーザの顔を記憶部６０に自動的に保存することとしたが、これに限らない。例えば、制御部７０は、第１カメラ部２３１により撮影されるユーザの顔を分析して表情を解析し、第１電子ペーパー部２３３Ａの第１カメラ部２３１を覆っていない部分を、解析されたユーザの表情に対応する色に変化させることにより、ユーザに、自己の表情を通知させ、ユーザから操作部１１を介して写真の撮影操作を受け付けるようにしてもよい。
【００７４】
また、図１０に示されるように、表示部側筐体部３の外平面部に、３次元写真を撮影することを可能とするように、第２カメラユニット３１と、この第２カメラユニット３１と同様の構成を備える第３カメラユニット３３を設けて、制御部７０により、以下のように電子ペーパー部を制御するようにしてもよい。
【００７５】
すなわち、制御部７０は、２次元の写真を撮影する場合に、撮影に使用されるカメラユニットの電子ペーパー部に光を透過させるとともに、撮影に使用されていないカメラユニットに設けられている電子ペーパー部を制御して所定の色に変化させるようにしてもよい。また、制御部７０は、３次元の写真を撮影する場合に、第２カメラユニット３１及び第３カメラユニット３３それぞれの電子ペーパー部に光を透過させるようにしてもよい。
【符号の説明】
【００７６】
１  携帯電話装置
２  操作部側筐体部
３  表示部側筐体部
７０  制御部
２３  第１カメラユニット
３１  第２カメラユニット
２３１  第１カメラ部（カメラ部）
２３２  第１撮影窓（撮影窓）
２３３、２３３Ａ  第１電子ペーパー部（電子ペーパー部）
３１１  第２カメラ部（カメラ部）
３１２  第２撮影窓（撮影窓）
３１３、３０Ａ  第２電子ペーパー部（電子ペーパー部）
【図１】
2012074910.tif 000003
【図２】
2012074910.tif 000004
【図３】
2012074910.tif 000005
【図４】
2012074910.tif 000006
【図５】
2012074910.tif 000007
【図６】
2012074910.tif 000008
【図７】
2012074910.tif 000009
【図８】
2012074910.tif 000010
【図９】
2012074910.tif 000011
【図１０】
2012074910.tif 000012